(57)【要約】【課題】弾道の統一化を図ると共に、番手に応じた飛距離差が充分に得られるようにしたウッド型のゴルフクラブセットにおいて、更に、番手に関係なく構え易い構成のウッド型のゴルフクラブセットを提供する。【解決手段】本発明のウッドのゴルフクラブセットは、ウッド型ゴルフクラブセットにおいて、少なくともある２つの番手のゴルフクラブが、ｉ：番手、θα：フェース角（フックフェースを「＋」、スライスフェースを「−」）、θβ：スコアライン角度、Ａ：任意の整数、とした場合、θα（ｉ）＞θα（ｉ＋Ａ）θβ（ｉ）＞θβ（ｉ＋Ａ）の条件を満足することを特徴とする。【選択図】　　図３
2004008318.tif 000002
【特許請求の範囲】
【請求項１】
ウッド型ゴルフクラブセットにおいて、少なくともある２つの番手のゴルフクラブが、
ｉ：番手
θα：フェース角（フックフェースを「＋」、スライスフェースを「−」）
θβ：スコアライン角度
Ａ：任意の整数
とした場合、
θα（ｉ）＞θα（ｉ＋Ａ）
θβ（ｉ）＞θβ（ｉ＋Ａ）
の条件を満足することを特徴とするウッド型ゴルフクラブセット。
【請求項２】
ウッド型ゴルフクラブセットにおいて、全ての番手のゴルフクラブが、
ｉ：番手
θα：フェース角（フックフェースを「＋」、スライスフェースを「−」）
θβ：スコアライン角度
Ａ：任意の整数
とした場合、
θα（ｉ）＞θα（ｉ＋Ａ）
θβ（ｉ）＞θβ（ｉ＋Ａ）
の条件を満足することを特徴とするウッド型ゴルフクラブセット。
【請求項３】
前記ゴルフクラブセットを構成する各クラブのヘッドのスコアラインに塗装が施されていることを特徴とする請求項１又は２に記載のウッド型ゴルフクラブセット。
【請求項４】
前記ゴルフクラブセットを構成する各クラブのヘッドは、フェースのトウ・ヒール方向の中心域において、トップエッジに対して、リーディングエッジの方がラウンドが強いフェース形状であることを特徴とする請求項１乃至３のいずれか１項に記載のウッド型ゴルフクラブセット。
【発明の詳細な説明】
【０００１】
【発明の属する技術分野】
本発明は、ウッド型ゴルフクラブセットに関する。
【０００２】
【従来の技術】
一般的に、ゴルフにおけるスイング軌道は、ターゲットに対して傾斜した円軌道が取られ、例えば、右利きでは、打球後にヘッドはプレーヤから見て左（フック方向）に向きながらフォロースルーが取られる。また、インパクト時におけるヘッドの動きを見ると、スイートスポットでスクエアに打球した場合、ロフト角が小さいと、ボールとの衝突時にヘッドの進行が妨げられてヘッドの向きが変わり易く、ロフト角が大きいと、ボールにスピンを与えながらヘッドが進行し易くなり、ヘッドの向きが変わりにくい傾向にある。
【０００３】
すなわち、スイートスポットでスクエアに打球した場合、ロフト角が小さいほど、ボールはそのままターゲット方向又は右（スライス方向）に打ち出される傾向にあり、ロフト角が大きくなるに連れ、打球時のヘッドの向きが変わりにくいことから、フォロースルーに伴って、ボールはそのまま左（フック方向）に打ち出され易い傾向となる。
【０００４】
この結果、ゴルフクラブセットを構成する各番手のクラブで、すべてフェース角が統一されていると、相対的に、ロフト角の小さい低番手のクラブではスライス傾向となり、ロフト角が大きい高番手のクラブではフック傾向となり、１つのセットの中で打球方向が安定しない（異なる）という不具合が生じる。
【０００５】
そこで、本発明者は、先の出願（特願２００１−１９３５３８号）において、高番手のクラブになるに従い（ロフト角が大きくなるに従い）、フェース角をスライス系にしたウッド型のゴルフクラブセットを提案している。ここで、フェース角とは、図１に示すように、ターゲット方向Ｔに対してヘッド１のフェース１ａの基準面（スイートスポットを通る接線）Ｓが垂直である場合、フェース角を０°（スクエアフェース）とし、この基準面がフック方向（θ１）に傾いてＳ１となったものをフックフェース、スライス方向（θ２）に傾いてＳ２となったものをスライスフェースとする。すなわち、フックフェースのゴルフクラブでは、フェース１ａ´の基準面Ｓ１と直交する方向はフック方向Ｔ１となり、スライスフェースのゴルフクラブでは、フェース１ａ´´の基準面Ｓ２と直交する方向はスライス方向Ｔ２となる。
【０００６】
先の出願では、図２（ａ）〜（ｃ）にて順に示すように、番手が高くなるに連れ（ロフト角が大きくなるに連れ）、フェース角がスライス系となるようにゴルフクラブセットを構築しており、低番手から高番手に至るまで、弾道の統一化を図って打球の左右のブレを抑制すると共に、番手に応じた飛距離差が充分に得られるようにしている。
【０００７】
【発明が解決しようとする課題】
ところで、上記したように構成されるゴルフクラブセットを実際に使用する場合、アドレス時に目線から見たフェースの向きがクラブ毎に異なっており、全体的に統一感がなくなってしまう。すなわち、フック系の番手のクラブが構え易いと感じると、スライス系の番手のクラブは構え難く感じるようになり、逆に、スライス系の番手のクラブが構え易く感じると、フック系の番手のクラブは構え難く感じるようになる。
【０００８】
このように、先行技術の構成では、ゴルフクラブセット全体で統一した構え易さ、という面を考慮すると、更に改良する余地が残されている。
【０００９】
そこで、本発明は、弾道の統一化を図ると共に、番手に応じた飛距離差が充分に得られるようにしたウッド型のゴルフクラブセットにおいて、更に、番手に関係なく構え易い構成のウッド型のゴルフクラブセットを提供することを目的とする。
【００１０】
【課題を解決するための手段】
上記した目的を達成するために、本発明に係るウッド型のゴルフクラブセットは、少なくともある２つの番手のゴルフクラブが、ｉ：番手、θα：フェース角（フックフェースを「＋」、スライスフェースを「−」）、θβ：スコアライン角度、Ａ：任意の整数とした場合、θα（ｉ）＞θα（ｉ＋Ａ）及びθβ（ｉ）＞θβ（ｉ＋Ａ）の条件を満足するように構成されている。
【００１１】
また、本発明に係るウッド型のゴルフクラブセットは、そのセット内の全ての番手のゴルフクラブが、上記した条件式を満足するように構成されている。
【００１２】
本発明においては、変化するロフト角の夫々に適したフェース角を定め、これにより、セット内において、各クラブで打球した際の左右方向のブレ量を抑制すると共に、本来、ストレートボールを打球したときに得られるべき飛距離の差が得られるようにする。そして、そのように構成されたセットにおいて、各クラブに関し、低番手側のクラブのヘッドのスコアライン角度が大きくなるように設定する。
【００１３】
なお、上記した構成において、スコアライン角度とは、図３（ａ）及び（ｂ）に示すように、クラブを水平面Ｐに対して所定のライ角で構えた際、水平面Ｐとスコアライン５との間の角度をθβ意味する。すなわち、図（ａ）に示したヘッドの方が、図（ｂ）に示したヘッドよりもスコアライン角度が大きく形成されている。
【００１４】
また、上記した番手（ｉ）は、ゴルフクラブセット内において、ロフト角に応じて定められる番手により特定されるものとする。この場合、製品によっては、便宜上、番手に整数値を付与しないクラブセットもあり得るが、そのような場合は、ロフト角が小さい方から高い方に、順に整数値を付与することとする。
【００１５】
上記した構成によれば、低番手側のクラブは、フック系のフェース角度になることから、アドレスした際に、フェース面がやや内側を向く状態となる。このような状態において、スコアラインが、全体としてヒール側からトウ側に向けて上方に傾斜していると、アドレスして上方からフェース面を見た際に、フェース面がスクエア状態に見えるようになる。
【００１６】
図４（ａ）及び（ｂ）は、これを模式的に示したものであり、同一のフェース角（同一番手）のヘッド１を、夫々正面、及びアドレス時となる上方から見た状態を示している。図（ａ）に示すヘッドは、スコアライン５の角度を大きく形成したものであり、図（ｂ）に示すヘッドは、従来と同様な角度でスコアライン５を形成したものである。この図の比較に見られるように、フェース角度がフック系の場合、スコアライン５の角度を大きく形成することで、アドレスした際、見た目上、フェース１ａの向きが正面を向くような感覚が得られるようになる。
【００１７】
そして、これは、フック系の角度が大きいほど、スコアライン５の角度を大きくすることで、見た目上、同感覚（統一感）が得られるようになる。すなわち、フェース角の角度に応じて、スコアライン角度を調整することにより、セット内で、いずれの番手のクラブでアドレスしても、視覚上の統一感が得られ、全体として構え易いゴルフクラブセットとすることが可能になる。
【００１８】
【発明の実施の形態】
以下、本発明の好ましいゴルフクラブセットの構成例について説明する。
【００１９】
以下の表は、１つのゴルフクラブセットの構成例を示したものであり、番手毎に、そのヘッドの構成例を示したものである。
【００２０】
【表１】
2004008318.tif 000003
このゴルフクラブセットは、ロフト角が１４°（３番）、１７°（４番）、２０°（５番）、２３°（７番）で、フェース角が、夫々２．０°、１．５°、１．０°、０．５°に設定された４本のフェアウェイウッドで構成されたものである。
【００２１】
なお、フェース角は、図１に示したフック系θ１では（＋）の角度で、スライス系θ２では（−）の角度によって規定される（このように定められるフェース角をθαと定義する）。そして、この場合、図３で示したように定義されるスコアライン角度θβは、夫々５．０°、３．５°、２．０°、０．５°に形成されている。
【００２２】
このように、本実施形態では、低番手のクラブが、それよりも高番手のクラブのフェース角より大きく、かつスコアライン角度が大きく形成されている。すなわち、フェース角が変化する番手毎に、視覚上同一の感覚が得られるようにスコアラインの角度を調節しており、セット全体で、アドレスした際に見え方が統一化されるように構成されている。
【００２３】
この場合、形成されるスコアラインは、その幅を０．６ｍｍ以上にすることが好ましい。このように、０．６ｍｍ以上にすることで、各スコアラインが目立つようになり、視覚上の同一感覚が得られ易くなる。さらに、スコアラインは、目立つ色、特に白色で形成することが好ましい。
【００２４】
また、上記したような構成では、トップエッジＴＥとリーディングエッジＲＥに所定のラウンドを形成することが好ましい。この場合、平均ラウンド半径は、トップエッジＴＥであれば、図６に示すように、フェース面１ａの最大幅地点Ｄ１，Ｄ２を結ぶ水平線分を垂直方向に３等分に分割し、各分割した線分とトップエッジＴＥとの交差点をＴ１，Ｔ２とし、また、水平線分を垂直方向に２等分に分割し、その分割した線分とトップエッジＴＥとの交差点をＴ３とし、これらＴ１，Ｔ２，Ｔ３を結ぶ円弧によって規定される。同様に、リーディングエッジＲＥの平均ラウンド半径は、Ｒ１，Ｒ２，Ｒ３を結ぶ円弧によって規定される。
【００２５】
上記した表のように、番手毎に、トップエッジＴＥ及びリーディングエッジＲＥに所定のラウンドを形成しておくことで、上方から見たエッジ部分が略直線状から丸みを帯びて認識できるようになる。特に、フックフェース系になると、感覚上リーディングエッジの向きによって認識され易いフック方向の向きが、ラウンドによって緩和されることから、トップエッジのラウンドに対して、視覚的な効果の大きいリーディングエッジのラウンドを強くする（曲率半径が短くなるようにする）ことで、違和感を減少することが可能となる。
【００２６】
また、各番手に関しては、ヘッドは、その容積が大きめに形成されることが好ましい。このようにヘッドを大きめに形成しておくことにより、フェース面の露出度が大きくなり、スコアラインの影響を強くすることが可能となる。
【００２７】
さらに、フェース面高さＨ（図６で示す点Ｔ３、Ｒ３を結び、かつ図５に示すようにフェース面１ａと平行な部分での高さ）についても大き目、具体的には３０ｍｍ以上となるように形成することが好ましい。このようにフェース面高さＨを高くすることにより、上記したようにスコアラインに角度を付けても違和感を少なくすることができる。
【００２８】
上記した表に示すゴルフクラブセットでは、全ての番手のクラブにおいて、ｉ：番手、θα：フェース角（フックフェースを「＋」、スライスフェースを「−」）、θβ：スコアライン角度、Ａ：任意の整数とした場合、θα（ｉ）＞θα（ｉ＋Ａ）、及びθβ（ｉ）＞θβ（ｉ＋Ａ）が成立していたが、本発明では、セット内において、任意のクラブを２本抽出した場合に、上記した関係が成立するようなセット構成であっても良い。すなわち、少なくとも、ある２つの番手のゴルフクラブにおいて上記の要件を満足することにより、そのクラブ間において弾道の統一化、及び見え方の統一化が図れるようになる。
【００２９】
また、本発明に係るゴルフクラブセットは、セットを構成する各クラブが、上記した条件を満足するように形成されていれば良く、ヘッドの大きさ、形状、材料、あるいはシャフトの構成等については限定されることはない。また、セットを構成するウッドの本数についても限定されることはなく、予めセット化して販売されているようなもの、あるいは、同一の品番（同一の型番）として、シリーズ化されて個別に販売されるフェアウェイウッドが上記した条件を満足するようになっているものであれば良い。
【００３０】
【発明の効果】
本発明によれば、ウッド型のゴルフクラブセットにおいて、弾道の統一化を図ると共に、番手に応じた飛距離差が充分に得られることに加え、更に、番手に関係なく、見え方が統一化され、構え易い構成のゴルフクラブセットが得られる。
【図面の簡単な説明】
【図１】ゴルフクラブヘッドをアドレスした状態で見た図であり、フェース角を説明する図。
【図２】本発明に関するゴルフクラブセットの例を示す図であり、（ａ）〜（ｃ）は、次第に番手が大きくなるクラブに関するフェース角を示す図。
【図３】スコアラインの求め方を説明する図であり、（ａ）は、低番手のクラブのヘッドの正面図、（ｂ）は、高番手のクラブのヘッドの正面図。
【図４】同一のフェース角のクラブにおいて、異なるスコアラインが形成されたヘッド部分を示す図であり、（ａ）は、スコアライン角度が大きい本発明に係るヘッドを示す図、（ｂ）は、スコアライン角度が小さい従来のヘッドを示す図。
【図５】フェース面高さを説明する図であり、ヘッド部分の側面図。
【図６】フェース面高さ、トップエッジ及びリーディングエッジのラウンド半径を説明する図であり、ヘッド部分の正面図。
【符号の説明】
１　ヘッド
１ａ　フェース
５　スコアライン
ＴＥ　トップエッジ
ＲＥ　リーディングエッジ
【図１】
2004008318.tif 000004
【図２】
2004008318.tif 000005
【図３】
2004008318.tif 000006
【図４】
2004008318.tif 000007
【図５】
2004008318.tif 000008
【図６】
2004008318.tif 000009